(57)【要約】      （修正有）【課題】プラークが見える歯ブラシの構造を提供する。【解決手段】主に一つの本体１、一つのチェック光源２、一つのバッテリー３及び一つの制御回路４で構成するプラークが見える歯ブラシの構造である。該本体１に含まれるのは複数の刷毛１１で形成する一つの頭部１２及び、握って持つための把柄部１３である。該チェック光源２を本体１の把柄部１３に設置し、且つ該チェック光源２が発する波長の範囲は４００ｎｍから７００ｎｍである。該バッテリー３と制御回路４を該本体１の把柄部１３内に設置し、且つ該制御回路４とバッテリー３、チェック光源２を電気接続する。【選択図】図１
0003208493.tif 000002
【実用新案登録請求の範囲】
【請求項１】
一つの本体、一つのチェック光源、一つのバッテリー及び一つの制御回路を含み、
該本体に含まれるのは複数の刷毛で形成する一つの頭部及び、握って持つための把柄部であり、
該チェック光源を本体の把柄部に設置し、且つ該チェック光源が発する波長の範囲は４００ｎｍから７００ｎｍであり、
該バッテリーと制御回路を該本体の把柄部内に設置し、且つ該制御回路とバッテリー、チェック光源を電気接続することを特徴とするプラークが見える歯ブラシの構造。
【請求項２】
更に一つの制御スイッチを含み、該本体の片側に設置し、且つ該制御スイッチは制御回路と電気接続することを特徴とする請求項１記載のプラークが見える歯ブラシの構造。
【請求項３】
前記該制御スイッチを本体の把柄部に設置し、且つ制御スイッチは頭部の刷毛と同一の方向に設置することを特徴とする請求項２記載のプラークが見える歯ブラシの構造。
【請求項４】
前記該チェック光源を本体の把柄部の末端端部に設置することを特徴とする請求項３記載のプラークが見える歯ブラシの構造。
【請求項５】
前記該本体は一般の歯ブラシ或いは電動歯ブラシとすることを特徴とする請求項１から請求項４のいずれかに記載のプラークが見える歯ブラシの構造。
【考案の詳細な説明】
【技術分野】
【０００１】
本考案は歯ブラシの構造に関し、特にそれによって発する光線で歯を照射し、歯に付いているプラークが蛍光反応を起こし、ユーザーは鏡を通じて特に磨く必要のある部位が分かるプラークが見える歯ブラシの構造に関する。
【背景技術】
【０００２】
白く並びの良い歯は誰もが羨むもの。口の中を綺麗に保つには、個人の衛生習慣を維持するほか、社交でのマナーとしては、口腔から異臭がないかを常に気をつける必要がある。食べ物を食べた後の食べ物のカス、ばい菌、ツバ及び口腔内で取れた上皮細胞などの物質が混ざり、歯の表面にくっついたものをプラークと呼ぶ。プラークは完全なる有機体であり、歯の表面に付着する力が強く、取り除きにくい。また、プラークは口腔疾病を招く大事な要素の一つである。例えば一部のプラークは酸性物質を放ち、歯の表面の琺瑯質(エナメル)を侵蝕する。最初は歯の光沢がなくなり、時間が長くなると虫歯になる。歯磨きの主な目的は、プラークを取り除くと同時に、歯の表面の食べ物のカスを掃除し、且つ歯磨き粉に含まれるフッ素などの成分を歯の表面に塗布して虫歯を予防する。
【０００３】
毎日決まって歯磨きをする習慣を付けるのは大変重要であるほか、歯磨きの方法と動かし方は、幼いころからトレーニングする必要がある。しかし、実際毎回の歯磨きで、綺麗にプラークを取り除いているのかは知り由がない。目下プラークをチェックするのは、主にプラーク染色剤を使用している。
【０００４】
プラーク染色剤の使い方は大まか二つがある。一つ目の使い方は３〜５滴のプラーク染色剤を綿棒に垂らし、均等に歯と歯茎に塗り、１０秒経ってから水でうがいして一緒に吐き出す。二つ目の使い方は５〜８滴のプラーク染色剤を約８ｃｃの水の中に入れ、それでうがいをして数回吐き出す。鏡を使って歯の表面にピンク或いは赤く染まった部分がないかをチェックする。変色した部分はプラークがあることを示すため、歯が綺麗に磨かれていないことが分かり、そこに付いた染色剤とプラークを徹底的に歯ブラシで落とす。よってプラーク染色剤を使用すれば、客観的に歯が徹底的に磨かれて、プラークを取り除いているのかが分かる。
【０００５】
前記のプラーク染色剤を使用すれば、染められたプラークを観察することはできるが、その成分に赤色の食用色素があるため、使用後、口内の粘膜もピンクに染まり、唇さえも染まってしまい、消えるのに時間がかかり、使用後すぐの外出にも他人と会話するのも適さないことを鑑みて、更なる改善が必要であった。
【先行技術文献】
【特許文献】
【０００６】
【特許文献１】特開2016-150190号公報
【考案の概要】
【考案が解決しようとする課題】
【０００７】
前記公知構造の欠点を解決するため、本考案は歯ブラシにチェック光源を結合し、歯の表面に照射する際、歯に付着しているプラークは蛍光反応を示す。鏡で蛍光反応を起こしている部位を確認してから歯磨きを行う。こうすれば従来のプラーク染色剤を使用する際の不便な部分を避けることができる、プラークが見える歯ブラシの構造を提供することを主な課題とする。
【課題を解決するための手段】
【０００８】
前記課題と解決するために、本考案はプラークが見える歯ブラシの構造を提供する。一つの本体、一つのチェック光源、一つのバッテリー及び一つの制御回路を含む。該本体に含まれるのは複数の刷毛で形成する一つの頭部及び、握って持つための把柄部である。該チェック光源を本体の把柄部に設置し、且つ該チェック光源が発する波長の範囲は４００ｎｍから７００ｎｍである。該バッテリーと制御回路を該本体の把柄部内に設置し、且つ該制御回路とバッテリー、チェック光源を電気接続する。
【０００９】
前記のプラークが見える歯ブラシは更に一つの制御スイッチを含み、該本体の片側に設置し、且つ該制御スイッチは制御回路と電気接続する。
【００１０】
前記のプラークが見える歯ブラシは、該制御スイッチを本体の把柄部に設置し、且つ制御スイッチは頭部の刷毛と同一の方向に設置する。
【００１１】
前記のプラークが見える歯ブラシは、該チェック光源を本体の把柄部の末端端部に設置する。
【００１２】
前記のプラークが見える歯ブラシは、該本体は一般の歯ブラシ或いは電動歯ブラシとする。
【考案の効果】
【００１３】
本考案の構造により、口の内外を染めることなく、手軽にプラークの位置を確認してから歯磨きを行うことができる。
【図面の簡単な説明】
【００１４】
【図１】本考案の立体略図である。
【図２】本考案の使用状態略図である。
【図３】本考案の使用状態略図である。
【図４】本考案のチェック光源が把柄部周囲に位置する略図である。
【図５】本考案を電動歯ブラシに応用した立体略図である。
【図６】本考案のチェック光源が電動歯ブラシ周囲に位置する略図である。
【考案を実施するための形態】
【００１５】
以下、本考案の構造と特徴および効果を、最良実施例と図面を参照しながら詳細に説明する。
【実施例】
【００１６】
図１から図２に示すように、図に示す本考案のプラークが見える歯ブラシに含まれるのは一つの本体１、一つのチェック光源２、一つのバッテリー３及び一つの制御回路４である。
【００１７】
該本体１に含まれるのは複数の刷毛１１で形成する一つの頭部１２及び、握って持つための把柄部１３である。該本体１は細長い形状且つ非円形断面の棒体を呈す。図式にある本体１は一般の歯ブラシを例に挙げ、また、刷毛１１は矩形状に排列する。
【００１８】
該チェック光源２を本体１の把柄部１３に設置し、且つ該チェック光源２が発する波長の範囲は４００ｎｍから７００ｎｍである。本実施例のチェック光源２は発光ダイオード（Ｌｉｇｈｔ-ｅｍｉｔｔｉｎｇ ｄｉｏｄｅ,ＬＥＤ）を使用する。
【００１９】
該バッテリー３と制御回路４を該本体１の把柄部１３内に設置し、且つ該制御回路４とバッテリー３、チェック光源２を電気接続する。バッテリー３は制御回路４とチェック光源２の作動パワーを提供する。
【００２０】
本考案は前記構造技術の特徴により、ユーザーは手に本体１を持つだけで、本体１にあるチェック光源２を口腔内の歯に向けて照射する。図２及び図３に示すように、口腔の上の歯を照射する。逐一歯を照射、或いは局部(一つの歯)を選んで照射する。歯に付着するプラークを激発して蛍光反応を起こす。鏡を利用して蛍光反応のある歯を確認してから磨く。このように口腔を触らない方法でも歯にあるプラークが綺麗に取り除かれたのかを確認することができる。
【００２１】
更に図１に示すように、プラークが見える歯ブラシは更に一つの制御スイッチ５(実施例の制御スイッチはタッチタイプ或いは押すタイプとすることができる)を含み、該本体1の片側に設置し、且つ該制御スイッチ５は制御回路４と電気接続する。該制御スイッチ５はユーザーが操作した後、更に制御回路４を通じてチェック光源２のオンオフを操作し、ユーザーは使用時間を決めることができ、及び未使用時の電気を消耗する状況を減少することができる。該制御スイッチ５を本体１の把柄部１３に設置し、且つ制御スイッチは頭部１２の刷毛１１と同一の方向に設置する。
【００２２】
図１に示すように、該チェック光源２を本体１の把柄部１３の末端端部に設置する。また、図４に示すように、更にチェック光源２を本体１の把柄部１３の周囲に設置することができる。
【００２３】
本考案の図１から図４に示す本体は、一般の歯ブラシを例として挙げている。また、本考案のプラークが見える歯ブラシは、図５に示すように、本体が電動歯ブラシの形態に活用することができる。且つチェック光源２も同様に本体１の把柄部１３の末端位置に位置する。また、図６に示すように、チェック光源２を本体１の把柄部１３の周囲に設置することができる。
【００２４】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２５】
１  本体
１１  刷毛
１２  頭部
１３  把柄部
２  チェック光源
３  バッテリー
４  制御回路
５  制御スイッチ
【図１】
0003208493.tif 000003
【図２】
0003208493.tif 000004
【図３】
0003208493.tif 000005
【図４】
0003208493.tif 000006
【図５】
0003208493.tif 000007
【図６】
0003208493.tif 000008